(57)【要約】【課題】  本発明は太陽光発電モジュール(photovoltaic module)の集光効率をアップすることができる太陽光発電装置を提供する。【解決手段】  本発明に係る太陽光発電装置は、前端部側に置かれる複数の第１サポート部材と、各第１サポート部材にヒンジ結合されるメインフレームと、該メインフレームの後端部側に置かれる複数の第２サポート部材と、前記メインフレームに回転自在に設けられ相互に平行な複数のサブフレームと、前記それぞれのサブフレームに設けられる太陽光発電モジュールと、前記サブフレームをメインフレームに対して所定角度に正逆転させる回転手段と、を備える。
2010539725.tif 000002
【特許請求の範囲】
【請求項１】
太陽発電装置の前端部側に置かれる複数の第１サポート部材と、
前記各第１サポート部材にヒンジ結合されるメインフレームと、
該メインフレームの後端部側に置かれる複数の第２サポート部材と、
前記メインフレームに回転自在に設けられ相互に平行な複数のサブフレームと、
前記それぞれのサブフレームに設けられる太陽光発電モジュールと、
前記複数のサブフレームをメインフレームに対して所定角度に同時に正逆転させる回転手段と、を備えてなることを特徴とする太陽光発電装置。
【請求項２】
前記第２サポート部材のうち少なくとも一つに設けられて前記メインフレームを上下方向へ移動させる昇降手段をさらに備えてなることを特徴とする請求項１に記載の太陽光発電装置。
【請求項３】
前記昇降手段は、
前記第２サポート部材に回転自在に保持され、前記第２サポート部材から突出する両端部を持つ第１リンクと、
該第１リンクの一側端部と前記メインフレームの前記後端部とに両側がそれぞれヒンジ連結される第２リンクと、
前記第２サポート部材に設けられ、前記第１リンクの他側端部とヒンジ連結されて、前記第１リンクを回動させるアクチュエータと、を含んでなることを特徴とする請求項２に記載の太陽光発電装置。
【請求項４】
前記回転手段は、
メインフレームに設けられた複数のサブフレームをメインフレームに対して同時に回転させることが可能で、前記それぞれのサブフレームの回転軸または前記サブフレームに設けられる回動リンクと、
前記各回動リンクの端部を連結する連結リンクと、
第１サポート部材または第２サポート部材の何れかに設けられて１つの前記サブフレームまたは連結リンクと連結して、回転軸を正逆転させたりまたは連結リンクを前後進させたりするアクチュエータと、を備えてなることを特徴とする請求項１に記載の太陽光発電装置。
【請求項５】
太陽発電装置の前端部側に置かれる複数の第１サポート部材と、
前記各第１サポート部材にヒンジ結合されるメインフレームと、
該メインフレームの後端部側に置かれる複数の第２サポート部材と、
前記メインフレームに回転自在に設けられて相互に平行な複数のサブフレームと、
前記それぞれのサブフレームに設けられる太陽光発電モジュールと、
前記それぞれのサブフレームの下面から下方に延びる延長ブラケットと、
前記延長ブラケットを相互連結する連結ブラケットと、
前記メインフレームまたは前記サブフレームに設けられて回転軸または一つの前記サブフレームを回転させるアクチュエータを含む回転手段と、を備えてなることを特徴とする太陽光発電装置。
【請求項６】
前記第２サポート部材と前記メインフレームとの間に設けられて、前記メインフレームを上下方向へ移動させる昇降手段をさらに備えてなることを特徴とする請求項５に記載の太陽光発電装置。
【請求項７】
メインフレームと、
該メインフレームを前後端部側で保持する複数のサポート部材と、
前記メインフレームに回転自在に設けられ、相互に平行な複数のサブフレームと、
前記それぞれのサブフレームに設けられる太陽光発電モジュールと、
前記複数のサブフレームをメインフレームに対して所定角度に同時に正逆転させる回転手段と、を備えてなることを特徴とする太陽光発電装置。
【請求項８】
メインサポート部材に任意の角度に回転できるようにヒンジ部によって取り付けられるメインフレームと、
該メインフレームに設けられるサブフレームと、
該サブフレームに設けられる太陽光発電モジュールと、
前記メインサポート部材の両側に設けられて前記メインフレームを任意の角度に回転及び高度を調整するための第１及び第２角度調節手段を備えてなることを特徴とする太陽光発電装置。
【請求項９】
前記第１角度調節手段は、前記メインサポート部材の一方の側に回転自在に設けられる第１回転軸と、
該第１回転軸に設けられる第１回動リンクと、
該第１回動リンクと前記メインフレームとを連結する第２回動リンクを備え、前記第１回転軸の端部にはこれを所定の角度に回転させるための第１駆動部を備え、
前記第２角度調節手段は、前記メインサポート部材の他方の側に回転自在に設けられる第２回転軸と、
該第２回転軸に設けられる第３回動リンクと、
該第３回動リンクと前記メインフレームとを連結する第４回動リンクを備え、前記第２回転軸の端部にはこれを所定の角度に回転させるための第２駆動部と、を備えてなることを特徴とする請求項８に記載の太陽光発電装置。
【発明の詳細な説明】
【技術分野】
【０００１】
本発明は太陽光発電装置に係り、さらに詳しくは太陽光発電モジュール(photovoltaic module)の集光効率をアップすることができる太陽光発電装置に関する。
【背景技術】
【０００２】
一般に、太陽光技術は太陽から伝達される輻射熱エネルギーを用いる太陽熱技術とは区別される。太陽光を用いた発電は無限なクリーンエネルギーを用いるものであって、別のエネルギーや駆動源を必要とせず、小規模システムであっても大規模システムであっても構造がシンプルであり、環境問題による設置制限に影響を受けない利点がある。
【０００３】
一方、発電量が日射時間に左右される点、相対的に大きい電力を得るためには多くの太陽光発電モジュールを必要とする点、商用電力に比べて高価である点、直流電力が先に得られる点など留意すべきである。前述した太陽光発電モジュールは発電効率を極大化するため、太陽の直射光線が常に太陽光発電モジュールの前面に垂直に入射できるように動力または機器操作を通じて太陽の位置を追跡して行く追跡式と、季節又は月別に上下に位置が変わる半固定式と、太陽との高度を問わず位置が固定される固定式などがある。
【０００４】
このような太陽光の追跡装置は移動する太陽を追跡しつつ集光性を高めるために、集熱器（solar collector）またはレンズを移動させる装置である。追跡方法は、プログラム追跡とセンサ追跡とに大別される。プログラム追跡は地球の自転と公転による太陽の移動を予めプログラムに入力して太陽光集光モジュールを回転させる追跡方法である。センサ追跡は太陽光の移動をセンサで感知して、太陽光集光モジュールの方向を制御するもので、各種の関連要素技術の進歩に伴って色々の改良が行われている。追跡装置技術には太陽位置検出方法、追跡部材、追跡駆動方式などがある。
【０００５】
韓国特許第０４４０２１号には太陽自動追跡装置の太陽追跡方法が開示されている。開示された太陽追跡方法は、太陽光発電モジュールの法線方位角が前記太陽の方位角より第１角度遅れる時、前記太陽光発電モジュールの法線の方位角が前記太陽の方位角より第２角度ほど先立つように前記太陽光発電モジュールを駆動させる構成を有する。
【０００６】
韓国登録第０４８３２９１号には太陽熱関連設備の太陽位置追跡方法が開示されており、韓国登録第０３６９８９７号には集光式太陽熱集熱器のための混合式太陽追跡制御装置が開示されている。
【０００７】
前述したように、従来技術の太陽光の位置を追跡する太陽光の位置追跡装置はその構造が相対的に複雑であり、追跡による位置固定が正確に行われない問題点がある。特に、それぞれの太陽光発電モジュールを同時に太陽に沿って駆動させることができない。
【先行技術文献】
【特許文献】
【０００８】
【特許文献１】韓国特許第０４４０２１号
【特許文献２】韓国登録第０４８３２９１号
【特許文献３】韓国登録第０３６９８９７号
【発明の概要】
【発明が解決しようとする課題】
【０００９】
本発明は前述したような従来の技術の問題点を解決するために案出されたもので、その目的は東西方向へ太陽に沿って太陽光発電モジュールを同時にトラッキングすることができ、南北方向へ高度の調整が容易なことから発電効率を向上させうる太陽光発電装置を提供するところにある。
【００１０】
本発明の他の目的は、太陽光発電モジュールを分割することによって風圧に対する抵抗を相対的に低減することができ、各太陽光発電モジュールを同時に東西方向へ太陽に沿って追従できる太陽光発電装置を提供するところにある。
【００１１】
本発明のさらに他の目的は、太陽光発電モジュールの傾斜方向の任意調整が可能な太陽光発電装置を提供するところにある。
【課題を解決するための手段】
【００１２】
前述した目的を達成するための本発明に係る太陽光発電装置は、太陽光発電装置の前端部側に置かれる複数の第１サポート部材と、前記各第１サポート部材にヒンジ結合されるメインフレームと、該メインフレームの後端部側に置かれる複数の第２サポート部材と、前記メインフレームに回転自在に設けられ相互に平行な複数のサブフレームと、前記それぞれのサブフレームに設けられる太陽光発電モジュールと、前記複数のサブフレームをメインフレームに対して所定角度に正逆転させる回転手段とを備えてなることを特徴とする。
【００１３】
本発明において、前記太陽光発電装置は、前記複数の第２サポート部材のうち少なくとも一つに設けられて前記メインフレームを上下方向に移動させる昇降手段をさらに備えても良い。前記昇降手段は前記第２サポート部材に回転自在に保持され、前記第２サポート部材から突出する両端部を持つ第１リンクと、該第１リンクの一側端部と前記メインフレームの前記後端部とに両側がそれぞれヒンジ連結される第２リンクと、前記第２サポート部材に設けられ、前記第１リンクの他側端部とヒンジ連結されて、前記第１リンクを回動させるアクチュエータと、を含む。
【００１４】
前記回転手段はメインフレームに設けられた複数のサブフレームをメインフレームに対して同時に回転させることが可能で、前記それぞれのサブフレームの回転軸またはサブフレームに設けられる回動リンクと、前記各回動リンクの端部を連結する連結リンクと、第１サポート部材または第２サポート部材の何れかに設けられて１つの前記サブフレームまたは連結リンクと連結して、回転軸を正逆転させたりまたは連結リンクを前後進させたりするアクチュエータと、を備える。
【００１５】
また、前述した目的を達成するための太陽光発電装置は、太陽発電装置の前端部側に置かれる複数の第１サポート部材と、前記各第１サポート部材にヒンジ結合されるメインフレームと、該メインフレームの後端部側に置かれる複数の第２サポート部材と、前記メインフレームに回転自在に設けられて相互に平行な複数のサブフレームと、前記それぞれのサブフレームに設けられる太陽光発電モジュールと、前記それぞれのサブフレームの下面から下方に延びる延長ブラケットと、前記延長ブラケットを相互連結する連結ブラケットと、前記メインフレームまたは前記サブフレームに設けられるアクチュエータを含む回転手段と、を備えてなることをその特徴とする。
【００１６】
本発明において、前記第２サポート部材と前記メインフレームとの間に設けられて前記メインフレームを上下方向へ移動させる昇降手段をさらに備える。
【発明の効果】
【００１７】
以上説明したように本発明に係る太陽光発電装置によれば、南北方向に沿ってメインフレームを回動させ、太陽光発電モジュールを黄道の軌跡、すなわち東西方向へ太陽を追従することができるので、太陽光の集光効率をアップし、月別または季節別に太陽の高度による太陽光発電モジュールの角度を手動または自動で調節することができて、発電量を極大化できる。また、太陽光トラッキングによる構造が簡単なことから、設計の自由度を高められる。さらには、その構造が簡単なので施設による製造コストを節減することができる。
【００１８】
本発明に係る太陽光発電装置は南北方向へ昇降させて高度を調整し、東西方向へサブフレームを回転させて太陽を追従できるので太陽光の集光効率をアップし、月別または季節別に太陽の高度による太陽光発電モジュールの角度を調節することができて、発電量を極大化することができる。
【図面の簡単な説明】
【００１９】
【図１】本発明に係る太陽光発電装置の平面図
【図２】図１に示された太陽光発電装置を示した斜視図
【図３】本発明に係る太陽光発電装置の他の実施例を示した斜視図
【図４】本発明に係る太陽光発電装置の側面図
【図５】太陽光発電装置の断面図
【図６】本発明に係る太陽光発電装置の回転手段を抜粋して示した斜視図
【図７】本発明に係る太陽光発電装置の他の実施例を示した平面図
【図８】本発明に係る太陽光発電装置の斜視図
【図９】図８に示された太陽光発電装置の側面図
【図１０】太陽光発電装置の太陽光発電モジュールを回動させるための回動手段の他の実施例を示した側面図
【図１１】本発明に係る太陽光発電装置の斜視図
【図１２】図１１に示された太陽光発電装置の作動状態を示した側面図
【図１３】本発明に係るさらに他の太陽光発電装置の斜視図
【図１４】図１３に示された太陽光発電装置の作動状態を示した側面図
【発明を実施するための形態】
【００２０】
以下に添付図面を参照しながら、本発明の好適な実施の形態について詳細に説明する。本発明に係る太陽光発電装置は、太陽が東側から昇り、西側に沈むまで太陽を追従し、高度を調整して電気を発電できるもので、その一実施形態を図１ないし図６に示した。
【００２１】
図１ないし図６を参照すると、太陽光発電装置１０は、地上、傾斜地または建築構造物に設けられ、高さが相異なるか相等しい第１、第２サポート部材１１、１２と、該第１、第２サポート部材１１、１２にヒンジ結合されて回転自在に設けられるメインフレーム１３、１４と、該メインフレーム１３、１４に沿ってそれぞれ並んで取り付けられ、例えば南北方向に伸びて取り付けられるサブフレーム１５と、前記それぞれのサブフレーム１５に設けられる太陽光発電モジュール１００と、前記太陽光発電モジュール１００が形成された各サブフレーム１５を同時に回転させる回転手段２０と、を備える。
【００２２】
前記メインフレーム１３、１４に対するサブフレーム１５の設置は、前記第１サポート部材１１側と前記第２サポート部材１２側とに対応するメインフレーム１３、１４に第１、第２ピローブロック３１３２がそれぞれ設けられ、サブフレーム１５の南北方向の両側に設けられる第１、第２回転軸３３、３４が前記第１及び第２ピローブロック３１３２に回転自在に設けられることによって行われる。前記サブフレーム１５には一つまたは複数の太陽光発電モジュール１００が設けられる。前記メインフレーム１３、１４は第１、第２サポート部材１１、１２にそれぞれ保持されるが、これに限定されず、四角形の形状に形成されうる。前記第１、第２サポート部材１３、１４の高さは設けられる場所、すなわち緯度によって違ってくる。例えば赤道地域では、それぞれの太陽光発電モジュール１００が設けられるサブフレーム１５が水平方向に実質的に同じ高さで保持されるのが望ましい。そして、赤道から南極や北極へ移動するほどに第１、第２サポート部材１１、１２の高さの差を大きくして、そのサブフレーム１５、すなわち前記サブフレーム１５に設けられた太陽光発電モジュール１００の傾斜角を大きく形成するのが望ましい。
【００２３】
前記回転手段２０はメインフレーム１３、１４に対して各サブフレーム１５を、太陽の東西方向への移動に沿って、同時に回転させて追従するためのもので、図２ないし図６に示したように、前記それぞれのサブフレーム１５の下面から下方に延びる連結ブラケット２１と前記各サブフレーム１５の下面に延びる連結ブラケット２１が回転自在にヒンジ連結される連結リンク２２を備える。連結ブラケット２１の構造的強度の補完のため、サブフレーム１５は、サブフレームの下部に位置する連結ブラケット２１の一つのヒンジ軸にヒンジ結合される第１、第２部材２１ａ、２１ｂを有しても良い。ここで、前記第１、第２部材２１ａ、２１ｂよりなる連結ブラケット２１は、図６に示したように、太陽光発電モジュール１００が設けられないサブフレーム１５の端部側に設けるのが望ましい。この場合、前記サブフレーム１５の回転角を大きくしても実質的にサブフレーム１５または太陽光発電モジュール１００と連結ブラケット２１との干渉が発生しなくなる。
【００２４】
そして、前記連結リンク２２の端部には前記連結リンク２２を前後進させるためのアクチュエータ２３が設けられる。このアクチュエータ２３は、図２に示したように、モータの駆動力を減速器を通じてスクリューに伝達する構造を有するスクリュージャックからなりうるが、これに限定されない。
【００２５】
前記アクチュエータ２３は第１、第２サポート部材１１、１２の１端に回動自在に設けられたり、図６に示したようにサポート部材２４に回動自在に設けられる。
【００２６】
図７は、本発明の別の実施例に係る太陽光発電装置の平面図であり、図８は、図７に記載される太陽光発電装置の斜視図である。
【００２７】
図７ないし図９は本発明に係る回転手段の他の実施例を示す。ここで、同一符号は同じ構成要素を指す。同図を参照すれば、回転手段４０はメインフレーム１３、１４に対して回転自在に設けられる各サブフレーム１５の第１回転軸３３にそれぞれ設けられる回動連結リンク４１と、該回動連結リンク４１の各端部とヒンジ連結される駆動連結リンク４２を備える。そして、前記駆動連結リンク４２を前後進させて、１つ又は複数のサブフレーム１５を回転させて、回動リンク４１及び駆動連結リンク４２と連結された各サブフレーム１５の角度を調整するための角度調節手段であるアクチュエータ４０を備える(図８参照)。前記アクチュエータ４０は前記第１サポート部材１１またはメインフレームに回転自在に設けられるもので、前述したようなジャックスクリューによりなりえ、図９に示したようにサポート部材１２に設けられてサブフレーム１５の一端の回転軸を正逆転させるモータ４５よりなりうる。
【００２８】
また、図１０に示したように、アクチュエータ２３は、前記サポート部材に設けられるシリンダーまたはジャックスクリューであっても良く、前記駆動リンク４２を前後進させる。
【００２９】
一方、図１１及び図１２は本発明に係る太陽光発電装置の他の実施例を示す。
【００３０】
図１１及び図１２を参照すれば、太陽光発電装置５０は地上、傾斜地または建築構造物に設けられる第１サポート部材５１と、該第１サポート部材５１にヒンジ結合されて回転自在に設けられるメインフレーム５２と、該メインフレーム５２の後端部側に設けられる第２サポート部材５３と、前記第２サポート部材５３に設けられて前記メインフレーム５２を前記第１サポート部材５１を中心にして上下方向に昇降させる昇降手段６０と、を備える。前記メインフレーム５２は格子状に形成され、後述するサブフレームが相互に平行に設けられる。
【００３１】
前記第１サポート部材５１とメインフレーム５２のヒンジ結合は、前記第１サポート部材５１と前記メインフレーム５２の対応する側にそれぞれ第１、第２ブラケット５４a、５４ｂが設けられ、これらがヒンジピン５４ｃによって結合されることによって行われる。
【００３２】
そして、前記昇降手段６０は、前記第２サポート部材５３に保持された駆動軸６１と、この駆動軸６１に結合された第１リンク６２と、各第１リンク６２の端部を前記メインフレーム５２の後端部と連結する第２リンク６３を含む。そして、前記駆動軸６１には第３リンク６４が設けられ、この第３リンク６４は第２サポート部材５３に設けられた回動アクチュエータ６５によって所定の角度に回転される。ここで、前記回動アクチュエータ６５はシリンダーまたはモータによって正逆転されることによって前後進されるリードスクリューを有するジャックスクリューよりなりうる。前記第２リンクは回転軸を保持するピローブロックと直接に連結されうる。
【００３３】
前記昇降手段は前述した実施例によって限定されず、前記メインフレーム５２を第１サポート部材５１を中心にして回転させられる構造であればいずれも可能である。
【００３４】
前記太陽光発電装置５０は、前述したようにメインフレーム５２に対して回転自在に設けられて相互に平行な複数のサブフレーム１５と、前記それぞれのサブフレーム１５に設けられる太陽光発電モジュール１００と、前記サブフレーム１５をメインフレーム５２に対して所定角度に正逆転させる回転手段２０を備える。メインフレームに対するサブフレーム１５の回転手段２０は前述した実施例と実質的に同じであることから、再び説明しない。そして、前記サブフレーム１５の回転時干渉が発生してはいけないことは当然である。前記昇降手段６０が設けられる第２サポート部材５３には第２サポート部材５３に対してメインフレーム５２の急激な上昇及び急激な下降を防止するための別のダンピング手段が設けられるが、このダンピング手段はショックアップソーバ（shock absorber）を使用するのが望ましい。
【００３５】
図１３は本発明に係るさらに他の実施例の太陽光発電装置を示す。
【００３６】
図１３を参照すれば、メインサポート部材７１に任意の角度に回転できるようにヒンジ部７２によって取り付けられるメインフレーム７３と、該メインフレーム７３に設けられるサブフレーム７４と、前記サブフレーム７４に設けられる太陽光発電モジュール１００と、前記メインサポート部材７１の両側に設けられて前記メインフレーム７３を任意の角度で回転させ、高度を調整するための第１、第２角度調節手段８０、９０と、を備える。
【００３７】
前記ヒンジ部７２はメインフレーム７３を任意の角度に回転調節できるようにユニバーサルジョイントまたはボールジョイントよりなる。
【００３８】
前記第１角度調節手段８０は、メインサポート７１の一方の側に回転自在に設けられる第１回転軸８１と、第１回転軸８１に設けられる第１回動リンク８２と、該第１回動リンク８２と前記メインフレーム７３を連結する第２回動リンク８３を備え、前記第２回動リンク８３とメインフレームはヒンジ結合される。このヒンジ結合は前述したようにユニバサルジョイントやボールジョイントによって連結される。そして、前記第１回転軸８１の端部にはこれを所定の角度に回転させるための第１駆動部８４を備える。
【００３９】
前記第１駆動部８４は、リンク８４ａにより第１回転軸と連結されるジャックスクリュー８４ｂを備える。
【００４０】
前記第２角度調節手段は前記第１角度調節手段と実質的に同じ構造を有する。前記第２角度調節手段９０はメインサポート７１の他方の側に回転自在に設けられる第２回転軸９１と、第２回転軸９１に設けられる第３回動リンク９２と、該第３回動リンク９２と前記メインフレーム７３とを連結する第４回動リンク９３を備え、前記第４回動リンク９３とメインフレームはヒンジ結合される。そして、前記第１回転軸９１の端部にはこれを所定の角度に回転させるための第２駆動部９４を備える。前記第２駆動部９４は、リンク９４ａにより第２回転軸と連結されるジャックスクリュー９４ｂを備える。
【００４１】
前記第１、第２角度調節手段は前述した実施例によって限定されず、前記メインサポートによって保持されたメインフレーム７３をそれぞれ独立して昇降させられる構造であればいずれも可能である。
【００４２】
前述したように構成された本発明に係る太陽光発電装置の作用を説明すれば、次の通りである。本発明に係る太陽光発電装置１０は太陽が東側から昇ると、回動手段が駆動されて前記サブフレーム１５に設けられた太陽光発電モジュールを回転させて太陽の動きと対応するようにする。この際、前記サブフレーム１５に設けられた太陽発電モジュール(photovoltaic module)１００は太陽の動きと対応するので、太陽光に最大限露出されて太陽から多量の光量を照射されうる。
【００４３】
この状態で時間が経過するにつれ、太陽が黄道に沿って移動して方位角が変わるようになるが、太陽光発光モジュールの方位角と太陽の方位角をセンサ(図示せず)によって認識し、このセンサの情報に基づきアクチュエータ（２３または４０）を駆動させて前記各サブフレーム１５を所定の角度に回動させる。
【００４４】
従って、一日中太陽に沿って太陽光発電モジュール１００が追従できるので、発電効率を極大化できる。
【００４５】
一方、季節によって太陽の高度が変わる場合、前記メインフレーム５２には昇降手段６０が設けられているので、メインフレーム５２の高度を南北方向に対して、すなわち太陽が黄道を移動する方向に対して調整することができる。
【００４６】
すなわち、回動アクチュエータ６５を駆動させて第１リンク６２を回動させることによって、第２リンク６３とメインフレーム５２の後端部とを連結した第２リンク６３を回動させ、前記メインフレーム５２の後端側を昇降させてメインフレーム５２の高度を調整することができる。
【００４７】
このような本発明の太陽の追跡は、従来のように太陽の方位と高度を考慮して推定することに比べて、構造が簡単であり、太陽光発電モジュール１００の効率を極大化することができる。
【００４８】
特に、図１ないし図５に示したように、メインフレーム１３、１４に所定の角度に回転自在に設けられ、太陽光発電モジュール１００が設けられるサブフレーム１５が、一つのアクチュエータであるスクリューチャック２３によって所定の角度に回転させられるので、東西方向への太陽の追従性を向上させることができると共に、さらには固定式の太陽光発電モジュールに比べて発電効率をアップすることができる。
【００４９】
一方、図１３ないし図１４に示したように、メインサポート７１とヒンジ部７２によって回動自在に設けられるメインフレーム７３は、第１、第２角度調節手段８０、９０の第１、第２駆動部８４、９４を選択的に回転させて、第１または第２回転軸８１、９１を回転させることによって、第１及び第２回転軸とそれぞれ第１、第２回転リンクまたは第３、第４回転リンクによって連結されたメインフレーム７３、すなわち太陽光発電モジュールの角度と高度を調整することができる。
【００５０】
本発明は図面に示された一実施例を参考にして説明してきたが、これは例示的なものに過ぎず、当該技術分野における通常の知識を有するものであればこれより多様な変形および均等な実施例が可能であることが理解できよう。従って、本発明の真の保護範囲は請求の範囲によって定まるべきである。
【産業上の利用可能性】
【００５１】
本発明の太陽光発電装置は傾斜地、山、建築構造物など設置場所を問わず設計及び施工が可能なことから、各種の太陽光を用いた発電分野に幅広く利用可能である。
【符号の説明】
【００５２】
太陽光発電装置…１０
第１、第２サポート部材…１１、１２
メインフレーム…１３、１４
サブフレーム…１５
太陽光発電モジュール…１００
回転手段…２０
第１、第２ピローブロック…３１、３２
連結ブラケット…２１
連結リンク…２２
アクチュエータ…２３
【図１】
2010539725.tif 000003
【図２】
2010539725.tif 000004
【図３】
2010539725.tif 000005
【図４】
2010539725.tif 000006
【図５】
2010539725.tif 000007
【図６】
2010539725.tif 000008
【図７】
2010539725.tif 000009
【図８】
2010539725.tif 000010
【図９】
2010539725.tif 000011
【図１０】
2010539725.tif 000012
【図１１】
2010539725.tif 000013
【図１２】
2010539725.tif 000014
【図１３】
2010539725.tif 000015
【図１４】
2010539725.tif 000016
【国際調査報告】
2010539725.tif 000017
2010539725.tif 000018